(57)【要約】【課題】複数のトイレ装置と少なくとも１つのリモコン装置が設置されているトイレシステムにおいて、１つのリモコン装置で複数のトイレ装置を一括で制御可能とする。【解決手段】トイレシステムは、複数のトイレ装置と１つのリモコン装置とを備えるトイレシステムであって、前記１つのリモコン装置は、複数のトイレ装置に向かって制御信号を送信し、前記複数のトイレ装置はそれぞれ、前記１つのリモコン装置と通信する通信手段と、前記制御信号を実行する実行手段と、グループ識別情報を記憶する記憶手段と、前記通信手段が前記制御信号と共に前記１つのリモコン装置及び前記複数のトイレ装置のうち何れか１つの装置からグループ信号を受信した場合、前記グループ信号の内容及び前記グループ識別情報に基づき、前記実行手段による前記制御信号の実行を許可するか否かを判断する許可手段と、を有する。【選択図】図１
2016125226.tif 000002
【特許請求の範囲】
【請求項１】
複数のトイレ装置と１つのリモコン装置とを備えるトイレシステムであって、
前記１つのリモコン装置は、複数のトイレ装置に向かって制御信号を送信し、
前記複数のトイレ装置はそれぞれ、
前記１つのリモコン装置と通信する通信手段と、
前記制御信号を実行する実行手段と、
グループ識別情報を記憶する記憶手段と、
前記通信手段が前記制御信号と共に前記１つのリモコン装置及び前記複数のトイレ装置のうち何れか１つの装置からグループ信号を受信した場合、前記グループ信号の内容及び前記グループ識別情報に基づき、前記実行手段による前記制御信号の実行を許可するか否かを判断する許可手段と、
を有する、
トイレシステム。
【請求項２】
前記１つのリモコン装置は、前記複数のトイレ装置に向かって前記制御信号と共に機器識別信号を送信し、
前記複数のトイレ装置の前記記憶手段はそれぞれ、互いに異なる機器識別情報を記憶しており、
前記複数のトイレ装置の前記実行手段はそれぞれ、前記通信手段が前記制御信号と共に前記機器識別信号を受信した場合、前記機器識別信号の内容が前記機器識別情報と同じであるか否か判断し、同じであると判断したことを条件として前記制御信号を実行すると共に、前記通信手段を介して前記制御信号及び前記グループ信号を、前記複数のトイレ装置の残りのトイレ装置に向かって送信する、
請求項１に記載のトイレシステム。
【請求項３】
前記複数のトイレ装置はそれぞれ、互いの前記トイレ装置の状態情報が共通しているときは、前記グループ識別情報として同じものを前記記憶部に記憶し、互いの状態情報が共通していないときは、前記グループ識別情報として異なるものを前記記憶部に記憶するグループ設定手段をさらに有する、
請求項１又は請求項２のトイレシステム。
【請求項４】
前記１つのリモコン装置は、前記複数のトイレ装置に向かってグループ問い合わせ信号と共に機器識別信号を送信し、
前記複数のトイレ装置の前記記憶部はそれぞれ、グループ識別情報及び互いに異なる機器識別情報を記憶しており、
前記複数のトイレ装置の前記実行手段はそれぞれ、前記通信手段が前記グループ問い合わせ信号と共に前記機器識別信号を受信した場合、前記機器識別信号の内容が前記機器識別情報と共通であるか否か判断し、共通であると判断したことを条件として前記グループ識別情報を、前記通信手段を介して前記１つのリモコン装置に返信し、
前記１つのリモコン装置は、前記グループ識別情報を受信した場合、前記複数のトイレ装置に向かって前記制御信号と共に受信した前記グループ識別情報を前記グループ信号として送信する、
請求項１に記載のトイレシステム。
【請求項５】
前記グループ識別情報は、前記トイレ装置の電源投入時から現在までの時間を含む、
請求項１乃至請求項３の何れか１項に記載のトイレシステム。
【発明の詳細な説明】
【技術分野】
【０００１】
本発明は、トイレシステムに関する。
【背景技術】
【０００２】
従来から、トイレ装置を遠隔操作するためのリモコン装置が知られている。
【０００３】
公共施設等のトイレブースでは、複数のトイレ装置及び複数のリモコン装置を含むトイレシステムが設置される場合があるが、リモコン装置同士の信号が混信する虞があった。
【０００４】
これに関し、例えば特許文献１では、便器等に設置される機器本体とリモコンとに識別コードが容易に設定され、複数のリモコン操作式機器での混信が防止されるリモコン操作式機器が開示されている。
【０００５】
この特許文献１に記載のトイレシステムでは、季節の変わり目などに、複数台を設置したトイレブース内の全てのトイレ装置の設定（温水温度、便座温度等）を同じ設定に変更する際にも、共通の機器コードを有するリモコン装置とトイレ装置で通信可能であるため、複数のトイレ装置がそれぞれ異なる機器識別情報を有する場合、それぞれの機器識別情報に対応したリモコン装置にてトイレ装置の設定を変更する必要がある。
【先行技術文献】
【特許文献】
【０００６】
【特許文献１】特開２００７-２３９２６６号公報
【発明の概要】
【発明が解決しようとする課題】
【０００７】
しかしながら、季節の変わり目などにトイレ装置の設定を変更する際は、複数のトイレ装置がある場合、各トイレ装置と対応したリモコン装置より設定を変更する必要があり、トイレ装置が多数となった場合は非常に時間・手間が生じてしまう憂いがある。
【０００８】
そこで、本発明は上述の課題を解決するためになされたものであり、複数のトイレ装置と少なくとも１つのリモコン装置が設置されているトイレシステムにおいて、１つのリモコン装置で複数のトイレ装置を一括で制御可能とすることを目的のひとつとする。
【課題を解決するための手段】
【０００９】
本発明の第１態様に係るトイレシステムは、複数のトイレ装置と１つのリモコン装置とを備えるトイレシステムであって、前記１つのリモコン装置は、複数のトイレ装置に向かって制御信号を送信し、前記複数のトイレ装置はそれぞれ、前記１つのリモコン装置と通信する通信手段と、前記制御信号を実行する実行手段と、グループ識別情報を記憶する記憶手段と、前記通信手段が前記制御信号と共に前記１つのリモコン装置及び前記複数のトイレ装置のうち何れか１つの装置からグループ信号を受信した場合、前記グループ信号の内容及び前記グループ識別情報に基づき、前記実行手段による前記制御信号の実行を許可するか否かを判断する許可手段と、を有する。
【００１０】
この構成によれば、複数のトイレ装置は、それぞれが記憶部にグループ識別情報を記憶しており、１つのリモコン装置または複数のトイレ装置のいずれか一つから送信されるグループ信号及び制御信号を、複数のトイレ装置が受信し、グループ識別情報を基に制御信号を実行するか否かを判断する。例えば、同一のグループ識別情報を記憶部に記憶していれば、複数のトイレ装置の許可手段は、制御信号を許可し、実行手段によって制御信号に基づく制御を実行することで、複数のトイレ装置を一括で制御可能となる。
【００１１】
本発明の第２態様に係るトイレシステムでは、第１態様において、前記１つのリモコン装置は、前記複数のトイレ装置に向かって前記制御信号と共に機器識別信号を送信し、前記複数のトイレ装置の前記記憶手段はそれぞれ、互いに異なる機器識別情報を記憶しており、前記複数のトイレ装置の前記実行手段はそれぞれ、前記通信手段が前記制御信号と共に前記機器識別信号を受信した場合、前記機器識別信号の内容が前記機器識別情報と同じであるか否か判断し、同じであると判断したことを条件として前記制御信号を実行すると共に、前記通信手段を介して前記制御信号及び前記グループ信号を、前記複数のトイレ装置の残りのトイレ装置に向かって送信する。
【００１２】
この構成によれば、複数のトイレ装置は、１つのリモコン装置より送信される機器識別信号及び制御信号を受信し、それぞれが記憶部に記憶する機器識別情報と同じである場合を条件として残りのトイレ装置へ制御信号及びグループ信号を送信する。残りのトイレ装置は、制御信号及びグループ信号を受信し、グループ識別情報が例えば、同じであると判断した場合、制御信号に基づく制御を実行することで、１つのリモコン装置にて一括で制御可能となる。
【００１３】
本発明の第３態様に係るトイレシステムでは、第１又は第２態様において、前記複数のトイレ装置はそれぞれ、互いの前記トイレ装置の状態情報が共通しているときは、前記グループ識別情報として同じものを前記記憶部に記憶し、互いの状態情報が共通していないときは、前記グループ識別情報として異なるものを前記記憶部に記憶するグループ設定手段をさらに有する。
【００１４】
この構成によれば、複数のトイレ装置は、自動的に共通のまたは異なるグループ識別情報を記憶することができる。
【００１５】
本発明の第４態様に係るトイレシステムでは、第１態様において、前記１つのリモコン装置は、前記複数のトイレ装置に向かってグループ問い合わせ信号と共に機器識別信号を送信し、前記複数のトイレ装置の前記記憶部はそれぞれ、グループ識別情報及び互いに異なる機器識別情報を記憶しており、前記複数のトイレ装置の前記実行手段はそれぞれ、前記通信手段が前記グループ問い合わせ信号と共に前記機器識別信号を受信した場合、前記機器識別信号の内容が前記機器識別情報と共通であるか否か判断し、共通であると判断したことを条件として前記グループ識別情報を、前記通信手段を介して前記１つのリモコン装置に返信し、前記１つのリモコン装置は、前記グループ識別情報を受信した場合、前記複数のトイレ装置に向かって前記制御信号と共に受信した前記グループ識別情報を前記グループ信号として送信する。
【００１６】
この構成によれば、１つのリモコン装置は、トイレ装置がリモコン装置から送信する機器識別信号とトイレ装置の記憶手段に記憶する機器識別情報が共通であることを条件とし、グループ識別情報をリモコン装置へ返信する。リモコン装置は、返信されたグループ識別情報を基にしたグループ信号及び制御信号を複数のトイレ装置へ送信することで、送信されたグループ識別情報と共通のグループ識別情報を記憶するトイレ装置は、制御信号に基づく制御を実行し、１つのリモコン装置にて一括で制御可能となる。  
【００１７】
本発明の第５態様に係るトイレシステムでは、第１乃至第３態様の何れか１つにおいて、前記グループ識別情報は、前記トイレ装置の電源投入時から現在までの時間を含む。
【００１８】
この構成によれば、グループ識別情報として、トイレ装置の電源投入時から現在までの時間とし、例えば、時間が前後一時間以内であれば、トイレ装置は、同じグループと判断して、実行を許可する。
【発明の効果】
【００１９】
本発明のトイレシステムでは、複数のトイレ装置と少なくとも１つのリモコン装置が設置されているトイレシステムにおいて、１つのリモコン装置で複数のトイレ装置を一括で制御可能となる。
【図面の簡単な説明】
【００２０】
【図１】本発明の第１実施形態に係るトイレシステムの模式的な見取り図である。
【図２】本発明の第１実施形態に係るリモコン装置を模式的に表すブロック図である。
【図３】本発明の第１実施形態に係るトイレ装置を模式的に表すブロック図である。
【図４】本発明の第１実施形態に係るトイレシステムのフローチャートである。
【図５】本発明の第２実施形態に係るトイレ装置を模式的に表すブロック図である。
【図６】本発明の第２及び第４実施形態に係るトイレシステムの模式的な見取り図である。
【図７】本発明の第３実施形態に係るリモコン装置を模式的に表すブロック図である。
【図８】本発明の第３実施形態に係るトイレシステムのフローチャートである。
【図９】本発明の第３実施形態に係るトイレシステムの模式的な見取り図である。
【００２１】
以下、添付図面を参照しながら本発明の実施の形態について説明する。理解を容易にするため、各図面において同一の構成要素に対しては可能な限り同一の符号を付し、重複する説明は省略する。
【００２２】
［第１実施形態］
まず、本発明の実施の形態の中で、第１実施形態に係るトイレシステムについて説明する。
＜トイレシステムの構成＞
図１に示すように、トイレシステムＯはトイレブースＯ１と、トイレブースＯ２とを、備える。トイレブースＯ１は、例えば１Ｆのトイレブースであり、リモコン装置Ｏ１２１と、リモコン装置Ｏ１２２と、リモコン装置Ｏ１２３と、トイレ装置Ｏ１１１と、トイレ装置Ｏ１１２と、トイレ装置Ｏ１１３と、を備える。
トイレブースＯ２は２Ｆのトイレブースであり、リモコン装置Ｏ２２１と、リモコン装置Ｏ２２２と、リモコン装置Ｏ２２３と、トイレ装置Ｏ２１１と、トイレ装置Ｏ２１２と、トイレ装置Ｏ２１３と、を備えている。
【００２３】
リモコン装置Ｏ１２１は、トイレ装置Ｏ１１１を操作するスイッチが、備えられている。リモコン装置Ｏ１２１はスイッチ操作を検出すると、検出に応じた無線制御信号を送信する。トイレ装置Ｏ１１１は、リモコン装置Ｏ１２１から送信された無線制御信号を受信し、無線制御信号に応じた動作を実行する。このように、リモコン装置Ｏ１２１は、使用者の操作に応じて、所定の動作の実行をトイレ装置Ｏ１１１に指示し、トイレ装置Ｏ１１１を遠隔操作する。
【００２４】
また、リモコン装置Ｏ１２２はトイレ装置Ｏ１１２を遠隔操作し、リモコン装置Ｏ１２３はトイレ装置Ｏ１１３を遠隔操作し、リモコン装置Ｏ２２１はトイレ装置Ｏ２１１を遠隔操作し、リモコン装置Ｏ２２２はトイレ装置Ｏ２１２を遠隔操作し、リモコン装置Ｏ２２３はトイレ装置Ｏ２１３を遠隔操作する。
【００２５】
また、リモコン装置Ｏ１２１は、図２のように、使用者の操作を検出する検出手段Ａ１と、検出した操作に応じた動作を実行する制御手段Ａ２と、制御手段を動作させる電源Ａ３と、機器識別情報またはグループ識別情報を少なくとも１つを含む制御信号を送信する送信手段Ａ４を、備える。前期制御信号は図１においてトイレブースＯ１及びトイレブースＯ２の範囲にて送信可能となる。
【００２６】
トイレ装置Ｏ１１１は、図３のように、リモコン装置より送信される無線制御信号を受信する受信手段Ｂ１と、機器識別情報及びグループ識別情報を記憶する記憶手段Ｂ２）と、制御信号の受付可否を判断する許可手段及び制御を実行する実行手段を備える制御手段Ｂ３と、制御手段を動作させる電源Ｂ４とを、備える。
【００２７】
また、図１に示すようにリモコン装置Ｏ１２１と、トイレ装置Ｏ１１１は共通の識別情報を記憶している。残りの複数のトイレ装置の記憶手段はそれぞれ、互いに異なる識別情報を記憶している。
【００２８】
図４は本発明の実施形態に係るフローチャートである。また、図１は本発明の第１実施形態に係るトイレシステムの模式的な見取り図である。以下、図１及び図４を参照しつつ、本第１実施形態を説明する。
【００２９】
ステップＳ３０：まず、リモコン装置Ｏ１２１は使用者の操作を検出手段Ａ１にて検出し、ステップＳ３１に進む。
【００３０】
ステップＳ３１：リモコン装置Ｏ１２１は検出により機器識別情報及びグループ識別情報を含む制御信号Ｃ１を送信し、ステップＳ３２に進む。
【００３１】
ステップＳ３２：次に、トイレ装置Ｏ１１１は受信した制御信号Ｃ１が共通の機器識別情報であるか否かを判断し、ステップＳ３３又はステップＳ３４に進む。
【００３２】
ステップＳ３３：トイレ装置Ｏ１１１は、共通の機器識別情報でない場合は、制御信号を受付けない。
【００３３】
ステップＳ３４：トイレ装置Ｏ１１１は、共通の機器識別情報である場合は、制御信号Ｃ１が指示する制御により、グループ識別情報を含む制御信号Ｃ２の送信が必要か否かを判断し、ステップＳ３５又はステップＳ３６に進む。
【００３４】
ステップＳ３５：トイレ装置Ｏ１１１は、グループ識別情報を含む制御信号の送信が不要である場合は、制御信号Ｃ１が指示する制御を実行し、ステップＳ３６に進む。
【００３５】
ステップＳ３６：トイレ装置Ｏ１１１は、グループ識別情報を含む制御信号Ｃ２の送信が必要な場合は、制御信号が指示する制御を実行すると共に、トイレシステムＯが含む全てのトイレ装置へグループ識別情報を含む制御信号Ｃ２を送信し、ステップＳ３７に進む。
【００３６】
Ｓ３７：全てのトイレ装置はグループ識別情報を含む制御信号を受信すると、共通のグループ識別情報であるか否かを判断し、ステップＳ３８又はステップＳ３９に進む。
【００３７】
ステップＳ３８：全てのトイレ装置は、共通のグループ識別情報でない場合は、制御信号Ｃ２を受け付けない。
【００３８】
ステップＳ３９：全てのトイレ装置は、共通のグループ識別情報を含む制御信号Ｃ２である場合は、制御信号を受け付け、制御信号Ｃ２が指示する制御を実行し、便座温度や、温水温度を変更する等のトイレ装置の設定を変更する。
【００３９】
本実施形態によれば、一つのリモコン装置より共通の機器識別情報をもつトイレ装置の状態を変更することで、グループ識別情報が一致する残りのトイレ装置の設定を同時に制御可能となる。
【００４０】
［第２実施形態］
次に、本発明の実施の形態の中で、第２実施形態に係るトイレ装置について説明する。
【００４１】
第２実施形態に係るトイレ装置において、図５に示すようにトイレ装置にグループ情報を含む制御信号を送信する送信手段Ｄ５を、備える。その他のトイレ装置の構成は第１実施形態と同様のため、省略する。
【００４２】
図６は本発明の実施形態に係るトイレシステムＴの模式的な見取り図である。以下、図６を参照しつつ、本実施形態を説明する。
【００４３】
トイレ装置Ｔ１１１は所定のタイミング、例えば、電源投入３時間経過等にて、グループ識別情報を含む設定信号Ｅ１を残りトイレ装置へ送信する。制御信号Ｅ１を受け取った残りのトイレ装置は例えば、グループ未設定である場合や、電波強度など状態情報の任意の条件を満たす場合、トイレ装置Ｔ１１１から送信されたグループ識別情報を記憶手段に記憶する。
【００４４】
これにより、１Ｆのトイレルームに存在するトイレブースＴ１の複数のトイレ装置は、例えば、グループ未設定や、電波強度など状態情報の任意の条件を満たす場合、共通のグループ識別情報を記憶手段にて記憶し、共通のグループとなる。また、２Ｆのトイレルームに存在するトイレブースＴ２の複数のトイレ装置は、例えば、グループ未設定などの任意の条件を満たさない場合、共通のグループ識別情報を記憶手段にて記憶せず、異なるグループとなる。
【００４５】
本実施形態によれば、図６に示すように例えば、異なるフロアなどである場合は、設定信号を受け付け可否の条件が異なるため、グループ識別情報を含む設定信号を受信し、トイレ装置の記憶手段に記憶したグループ識別情報がトイレブースＴ１及びトイレブースＴ２では異なり、任意の複数のトイレ装置を自動的にグループ化できる。
【００４６】
［第３実施形態］
次に、本発明の実施の形態の中で、第３実施形態に係るリモコン装置と、トイレ装置に、ついて説明する。
【００４７】
図９に示すようにリモコン装置Ｕ１２１は図７に示すようにトイレ装置Ｕ１１１より送信される制御信号を受け付ける受信手段Ｆ５を備える。その他、システムの構成は、第１実施形態と同様である。
【００４８】
図８は本発明の実施形態に係るフローチャートである。また、図９は本発明の実施形態に係るトイレシステムの模式的な見取り図である。
以下、図８及び図９を参照しつつ、本実施形態を説明する。
【００４９】
ステップＳ４０：まず、リモコン装置Ｕ１２１は使用者の操作を検出手段にて検出し、ステップＳ４１へ進む。
【００５０】
ステップＳ４１：リモコン装置Ｕ１２１は、複数のトイレ装置に向かって機器識別を含むグループ問い合わせ信号Ｆ１機器識別を送信し、ステップＳ４２へ進む。
【００５１】
ステップＳ４２：複数のトイレ装置の記憶部はそれぞれ、グループ識別情報及び互いに異なる機器識別情報を記憶しており、複数のトイレ装置において、通信手段が機器識別を含むグループ問い合わせ信号Ｆ１を受信した場合、機器識別情報が共通であるか否か判断し、ステップＳ４３又はステップＳ４４へ進む。
【００５２】
ステップＳ４３：トイレ装置Ｕ１１１は、機器識別情報が共通でないと判断した場合は、信号を受け付けない。
【００５３】
ステップＳ４４：トイレ装置Ｕ１１１は、機器識別情報が共通であると判断した場合、機器識別情報及びグループ識別情報を含む制御信号Ｆ２を、送信手段を介してリモコン装置Ｕ１１１に返信し、ステップＳ４５へ進む。
【００５４】
ステップＳ４５：リモコン装置Ｕ１２１は、返信された制御信号Ｆ２が共通の機器識別情報であるかを判断し、ステップＳ４６又はステップＳ４７へ進む。
【００５５】
ステップＳ４６：共通の機器識別情報でないと判断した場合は、制御信号Ｆ２を受け付けない。
【００５６】
ステップＳ４７：共通の機器識別情報であると判断した場合は、リモコン装置Ｕ１２１はグループ識別情報及び機器識別情報を含む 制御信号を受信手段より受け付けると共に、グループ識別情報 を含む制御信号Ｆ３を全てのトイレ装置へ送信し、ステップＳ４８へ進む。
【００５７】
ステップＳ４８：全てのトイレ装置は制御信号が共通のグループ識別情報か判断し、ステップＳ４９又はステップＳ５０へ進む。
【００５８】
ステップＳ４９：共通のグループ識別情報でないと判断した場合は、制御信号Ｆ３を受け付けない。
【００５９】
ステップＳ５０：グループ識別情報であると判断した場合は、制御信号Ｆ３が指示する制御を実行する。
【００６０】
本実施形態によれば、一つのリモコン装置より共通の機器識別情報をもつトイレ装置の状態を変更することで、グループ識別情報が一致する残りのトイレ装置の状態を同時に制御可能となる。
【００６１】
［第４実施形態］
次に、本発明の実施の形態の中で、第４実施形態に係るトイレ装置を説明する。
【００６２】
第４実施形態に係るトイレ装置の構成は第３実施形態と同様のため、省略する。
【００６３】
図６に示すように、複数のトイレ装置は、グループ化を図る条件を、トイレ装置の通電時間を閾値として用いる。トイレ装置Ｔ１２１は、通電時間情報及びグループ識別情報を含む設定信号Ｅ１を送信し、残りのトイレ装置は、それぞれの通電時間と送信された制御信号Ｅ１に含む通電時間のズレが例えば±１時間である場合は、制御信号Ｅ１のグループ識別情報をトイレ装置の記憶手段に記憶する。
【００６４】
本実施形態によれば、グループ化において同一トイレブースにおける共通情報を利用するため、誤って他トイレブースとトイレ装置とグループ化することを抑制することができる。
【００６５】
[変形例]
以上、本願の開示する技術の実施形態について説明したが、本願の開示する技術は、上記に限定されるものではない。
【００６６】
例えば、リモコン装置は複数である場合を説明したが、１つであってよい。
【００６７】
また、前述した各実施の形態が備える各要素は、技術的に可能な限りにおいて組み合わせることができ、これらを組み合わせてものも本発明の特徴を含む限り本発明の範囲に包括される。
【符号の説明】
【００６８】
Ｏ,Ｔ,Ｕ・・・トイレシステム
Ｏ１，Ｏ２，Ｔ１，Ｔ２，Ｕ１，Ｕ２・・・トイレブース
Ｏ１１１,Ｏ１１２,Ｏ１１３,Ｏ２１１,Ｏ２１２,Ｏ２１３,Ｔ１１１,Ｔ１１２,Ｔ１１３,Ｔ２１１,Ｔ２１２,Ｔ２１３, Ｕ１１１,Ｕ１１２,Ｕ１１３,Ｕ２１１,Ｕ２１２,Ｕ２１３・・・トイレ装置
Ｏ１２１,Ｏ１２２,Ｏ１２３,Ｏ２２１,Ｏ２２２,Ｏ２２３,Ｔ１２１,Ｔ１２２,Ｔ１２３,Ｔ２２１,Ｔ２２２,Ｔ２２３,Ｕ１２１,Ｕ１２２,Ｕ１２３,Ｕ２２１,Ｕ２２２,Ｕ２２３・・・リモコン装置
Ａ１,Ｆ１・・・検出手段
Ａ３,Ｆ３・・・電源
Ａ２,Ｆ２・・・制御手段
Ａ２,Ｆ２・・・送信手段
Ｆ５・・・受信手段
Ｂ１,Ｄ１・・・受信手段
Ｂ２,Ｄ２・・・記憶手段
Ｂ３,Ｄ３・・・制御手段
Ｂ４,Ｄ４・・・電源
Ｄ１・・・送信手段
【図１】
2016125226.tif 000003
【図２】
2016125226.tif 000004
【図３】
2016125226.tif 000005
【図４】
2016125226.tif 000006
【図５】
2016125226.tif 000007
【図６】
2016125226.tif 000008
【図７】
2016125226.tif 000009
【図８】
2016125226.tif 000010
【図９】
2016125226.tif 000011